(57)【要約】【課題】  電力消費量を増やさずに、釣針の周囲に十分な量の光を供給することができる発光釣具を提供する。【解決手段】  発光釣具３は、光源部３１を有し、釣糸２に接続される発光釣具本体と、光源部３１の光を釣糸２に接続された釣針８の周囲にガイドする光ファイバ３５とを備えている。【選択図】図１
2008271922.tif 000002
【特許請求の範囲】
【請求項１】
光源部を有し、釣糸に接続される発光釣具本体と、
前記光源部の光を前記釣糸に接続された釣針の周囲にガイドする光ファイバと
を備えていることを特徴とする発光釣具。
【請求項２】
前記光ファイバの終端部を前記釣糸に連結させるジョイント部材を備えていることを特徴とする請求項１記載の発光釣具。
【請求項３】
前記光源部から出射される光の色、発光の態様を制御する制御部を備えていることを特徴とする請求項１又は２記載の発光釣具。
【発明の詳細な説明】
【技術分野】
【０００１】
この発明は発光機能を有する釣具に関する。
【背景技術】
【０００２】
従来、光源部とこの光源部に電力を供給する電源部と光源部から発せられる光の色を変化させる制御部とを備えている発光釣具が知られている（下記特許文献１参照）。
【０００３】
光源部は赤色、緑色、青色の発光ダイオードで構成されている。
【０００４】
電源部は電池で構成されている。
【０００５】
制御部は，回路基板と、この回路基板に実装され、複数の発色プログラムが格納されたＲＯＭを有するＭＰＵとで構成されている。
【０００６】
回路基板の一端に発光ダイオードが、その他端に電池がそれぞれ取り付けられ、光源部、電源部及び制御部は１つのユニットとして円筒状のハウジングに収容されている。
【０００７】
ハウジングの一端に釣糸が連結され、その他端に釣針が連結されている。
【０００８】
光源部から発せられた光はハウジングの透光部を介して外部へ拡散される。
【特許文献１】特開２００２−１９９８２８号公報
【発明の開示】
【発明が解決しようとする課題】
【０００９】
しかし、ハウジングと釣針とは離れているので、釣針の周囲に届く光量は十分でなかった。そのことが魚の誘引効果を高くすることができない一因になっていた。
【００１０】
もし、例えば電池の数を増やして光量を増やそうとすれば、ハウジング（発光釣具）が大型化したり、光源部の電力消費量が増加したりするという問題が生じる。
【００１１】
この発明はこのような事情に鑑みてなされたもので、電力消費量を増やさずに、釣針の周囲に十分な量の光を供給することができる発光釣具を提供することである。
【課題を解決するための手段】
【００１２】
前述の課題を解決するため請求項１の発明の発光釣具は、光源部を有し、釣糸に接続される発光釣具本体と、前記光源部の光を前記釣糸に接続された釣針の周囲にガイドする光ファイバとを備えている。
【００１３】
発光釣具本体の光源部の光が光ファイバにガイドされ、釣針の周囲に十分な量の光が供給される。
【００１４】
請求項２の発明は、請求項１の発明の発光釣具において、前記光ファイバの終端部を前記釣糸に連結させるジョイント部材を備えていることを特徴とする。
【００１５】
請求項３の発明は、請求項１又は２の発明の発光釣具において、前記光源部から出射される光の色、発光の態様を制御する制御手段を備えていることを特徴とする。
【発明の効果】
【００１６】
この発明によれば、電力消費量を増やさずに、釣針の周囲に十分な量の光を供給することができる。
【００１７】
釣針の周囲だけに光を供給することができる。
【発明を実施するための最良の形態】
【００１８】
以下、この発明の実施の形態を図面に基づいて説明する。
【００１９】
図１はこの発明の第１実施形態に係る発光釣具の使用状態を示す概念図である。図中、発光釣具３については縦断面が描かれている。
【００２０】
釣竿１の先端には釣糸２が結ばれている。
【００２１】
釣糸２の終端には釣針８が装着されている。
【００２２】
釣糸２の途中にはウキ４と発光釣具３とジョイント部材７とが装着されている。
【００２３】
ウキ４は釣竿１の先端と発光釣具３との間に位置する。ウキ４はゴム環６で釣糸２に装着される。
【００２４】
２つのジョイント部材７は発光釣具３と釣り針８との間に位置する。
【００２５】
図２はジョイント部材７の横断面を示す断面図である。
【００２６】
ジョイント部材７は、弾性材料でほぼ円盤状に形成された本体７ａと、本体７ａの外周面に等間隔に形成された４つの係止溝７ｂ１，７ｂ２，７ｂ３，７ｂ４とで構成される。
【００２７】
４つの係止溝７ｂ１〜４の途中はいずれも狭くなっている。後述の光ファイバ５を４つの係止溝７ｂ１〜４の中から選択した特定の係止溝７ｂ１に係止させる場合、その係止溝７ｂ１の幅を指で広げて、光ファイバ５を係止溝７ｂ１の奥に押し込む。ジョイント部材７から指を離すと、係止溝７ｂ１の幅がもとに戻る。係止溝７ｂ１の途中は狭くなっており、その部分の幅は光ファイバ５の外径よりも小さいので、係止溝７ｂ１の奥に位置する光ファイバ５は係止溝７ｂ１から容易に離脱しない。
【００２８】
４つの係止溝７ｂ１〜４の断面形状は同じであるが、それらの幅や長さはすべて異なる。
【００２９】
この実施形態では、４つの係止溝７ｂ１〜４のうちの最も大きな係止溝７ｂ１に光ファイバ５が係止され、４つの係止溝７ｂ１〜４のうちの最も小さな係止溝７ｂ４に釣糸２が係止されている。光ファイバ５や釣糸２を４つの係止溝７ｂ１〜４のうちのどの係止溝に係止させるかは、光ファイバ５や釣糸２の外径に応じて決定される。
【００３０】
図３は図１の発光釣具の拡大縦断面図、図４は発光釣具の点灯回路図である。
【００３１】
発光釣具３は、光源部３１と、光源部３１に電力を供給する電源部３２と、光源部３１から発せられる光の色や発光の態様を変化させる制御部３３と、これらを収容するハウジング３４と、光源部３１の光を釣り針８の周囲にガイドする光ファイバ３５とを備えている。発光釣具３の光ファイバ３５以外の部分が発光釣具本体を構成する。
【００３２】
光源部３１は赤色、緑色、青色の発光ダイオード３１a，３１ｂ，３１ｃで構成される。光源部３１は図示しない所定の導体パターンが形成された回路基板３６に実装されている。
【００３３】
電源部３２は３つの電池３２ａを有する。３つの電池３２ａは円筒状の絶縁フィルム３７（図３の点線部分）を介して円筒容器３８に直列に収容されている。円筒容器３８は導電材料で形成されている。円筒容器３８は図示しない所定の導体パターンが形成された回路基板４０に電気的に接続されている。回路基板４０は接続線３９を介して回路基板３６に電気的に接続されている。
【００３４】
最下位の電池３２ａの負極が回路基板４０に実装されたばね性を有する接触子４１に接触している。最上位の電池３２ａの正極は後述のばね押し棒１３の先端に支持された円板状の板ばね１４と対向している。板ばね１４は導電材料で形成されている。板ばね１４の中央部がばね押し棒１３の先端に導電材料で形成されたねじ１９で固定されている。板ばね１４の直径は円筒容器３８の直径より大きく、ばね押し棒１３を電池３２ａに近づけると板ばね１４の外周部が円筒容器３８の開口縁に押しつけられ、板ばね１４がたわみ、板ばね１４の中央部のねじ１９が電池３２ａの正極に接触する。その結果、電池３２ａから光源部３１への電力の供給が可能となる。
【００３５】
制御部３３は回路基板３６，４０、回路基板４０に実装されたＭＰＵ３３ａ等で構成される。ＭＰＵ３３ａは複数の発色プログラムが格納されたＲＯＭ（図示せず）を有する。
【００３６】
図４に示すように、電池３２ａの正極は、ＭＰＵ３３ａの電源入力端子、切替スイッチ４２の電極４２ａにそれぞれ接続されるとともに、光源部３１の赤色、緑色、青色の発光ダイオード３１ａ，３１ｂ，３１ｃの入力端子に保護用の抵抗４３ａ，４３ｂ，４３ｃを介してそれぞれ接続されている。電池３２ａの負極は、接地されるとともに、ＭＰＵ３３ａのグランド（ＧＮＤ）端子に接続されている。切替スイッチ４２の可動側の電極４２ｂはＭＰＵ３３ａの入力ポート１に接続されている。光源部３１の赤色、緑色、青色の発光ダイオード３１ａ，３１ｂ，３１ｃの出力端子はＭＰＵ３３ａの出力ポート１，２，３にそれぞれ接続されている。
【００３７】
図３に示すように、ハウジング３４は、筒状のハウジング本体１７と、ハウジング本体１７の上端に位置する開口部に装着されるキャップ１２とを有する。
【００３８】
ハウジング本体１７の下端は閉塞され、山形に隆起し、その隆起部の先端には環状の釣糸掛け１０ｂが形成されている。
【００３９】
ハウジング本体１７内には、錘２８、回路基板３６、回路基板４０、電池３２ａ等が収容されている。
【００４０】
ハウジング本体１７の外周面には孔１７ａが形成され、孔１７ａには孔１７ａを閉塞するように弾性変形可能なシート１８が装着されている。シート１８はＭＰＵ３３ａの点灯切替用の可動側の電極４２ａに対向している。シート１８にはほぼＬ形に折り曲げられた板ばね式の電極４２ｂの一端部が結合され、その他端部が回路基板４０に機械的かつ電気的に接続されている。電極４２ａと電極４２ｂとで点灯モード切替スイッチ４２が構成される。
【００４１】
外部から指でシート１８を押すと電極４２ｂが電極４２ａに押し付けられ、点灯モード切替スイッチ４２がオンになり、シート１８から指を離すと電極４２ｂの中間部が電極４２ａから離れ、点灯モード切替スイッチ４２がオフになる。
【００４２】
ハウジング本体１７の下端には釣糸掛け１０ｂに隣接するようにファイバガイド筒部２２と糸掛け棒２１とが形成されている。ハウジング本体１７の内部空間はファイバガイド筒部２２を介して外部に通じる。
【００４３】
ファイバガイド筒部２２の上端の開口部は回路基板３６に実装された光源部３１と対向している。ファイバガイド筒部２２には光ファイバ３５が収容されている。光ファイバ３５の一端は光源部３１に隣接配置され、他端は釣針８の近傍に配置される。光ファイバの大部分はファイバガイド筒部２２の外に出ている（図１参照）。ファイバガイド筒部２２の下側部分と光ファイバ３５の一部とはゴムチューブ２３で被覆されている。ゴムチューブ２３の一端部はファイバガイド筒部２２の外周面に密着し、他端部は光ファイバ３５の一部の外周面に密着している。このゴムチューブ２３によって、光ファイバ３５が支持されるとともに、ハウジング本体１７の内部空間と外部空間とが遮断され、防水される。
【００４４】
糸掛け棒２１はハウジング本体１７の軸方向に沿って延びる。糸掛け棒２１にはゴム環２０が装着されている。
【００４５】
キャップ１２の外径はハウジング本体１７の外径より大きい。キャップ１２の上部は山形に隆起し、その隆起部の先端には環状の釣糸掛け１０ａが形成されている。キャップ１２の上部には釣糸掛け１０ａに隣接するように糸掛け棒２４が形成されている。糸掛け棒２４はハウジング本体１７の軸方向に沿って延びる。糸掛け棒２４にはゴム環２５が装着されている。
【００４６】
キャップ１２内にはバランサ１１とばね押し棒１３とが収容されている。バランサ１１はキャップ１２の隆起部の内部空間を埋めるように配置されている。釣糸掛け１０ａに結合されたばね押し棒１３はバランサ１１を貫通し、釣糸掛け１０ａから電池３２ａの正極の中央部へ延びる。
【００４７】
キャップ１２の内周面には、ハウジング本体１７の上端部の外周面に形成された雄ねじ２６に螺合可能な雌ねじ１５が形成されている。螺合状態のキャップ１２とハウジング本体１７との間には防水用のＯリング１６が配置される。
【００４８】
発光釣具３は次のように使用される。
【００４９】
まず、釣竿１に釣糸２を結ぶ。
【００５０】
次に、釣糸２を浮き用のゴム環６に通す。
【００５１】
その後、釣糸２を糸掛け棒用のゴム環２５に通す。
【００５２】
そして、釣糸２を釣糸掛け１０ａに通す。このときキャップ１２はハウジング本体１７にわずかにねじ込まれた状態であり、板ばね１４の中央部のねじ１９は電池３２ａの正極に接触していない。
【００５３】
次に、釣糸２を釣糸掛け１０ｂに通す。釣糸掛け１０ａに通された釣糸２は発光釣具３の外周面を経由して釣糸掛け１０ｂに通される。
【００５４】
そして、釣糸２を糸掛け棒用のゴム環２０に通す。
【００５５】
その後、釣糸２に釣針８をつける。
【００５６】
次に、釣針８に対する発光釣具３の位置を決める。このとき釣糸２と光ファイバ３５とを平行にして、釣針８に対して発光釣具３を相対移動させ、光ファイバ３５の終端部の位置を調節する。
【００５７】
釣針８に対する発光釣具３の位置を決めた後、２つのジョイント部材７で釣糸２に光ファイバを連結する。
【００５８】
そして、糸掛け棒２１をゴム環２０に、糸掛け棒２４をゴム環２５にそれぞれ通す。
【００５９】
次に、浮き４の軸部をゴム環６に通す。
【００６０】
その後、キャップ１２を完全にねじ込む。その結果、板ばね１４がたわみ、板ばね１４の中央部のねじ１９が電池３２ａの正極に接触し、電池３２ａから光源部３１への電力の供給が可能となる。
【００６１】
次に、シート１８を押して点灯モード切替スイッチ４２を操作し、点灯モードを設定する。その結果、光源部３１が選択された点灯モードに応じて点灯動作する。
【００６２】
最後に、釣針８にえさ９をつける。
【００６３】
図５は光源部３１の点灯状態遷移図である。
【００６４】
シート１８を介して点灯モード切替スイッチ４２を１回押すと、「１」の点灯モードが選択され、光源部３１の赤色、緑色、青色の発光ダイオード３１ａ，３１ｂ，３１ｃのすべてが点灯し、白色の光が生成される。その光は光ファイバ３５の始端部に入射し、終端部から釣針８の近傍へ出射される。この点灯モードでは、緑色、青色の発光ダイオード３１ａ，３１ｂ，３１ｃのすべてが点灯する状態が維持される。
【００６５】
点灯モード切替スイッチ４２を２回押すと、「２」の点灯モードが選択され、一定の時間間隔で光源部３１の赤色、緑色、青色の発光ダイオード３１ａ，３１ｂ，３１ｃのすべてが一定時間点灯する。したがって、この点灯モードでは、白色の光が光ファイバ３５を介して釣針８の近傍へ断続的に出射される。
【００６６】
点灯モード切替スイッチ４２を３回押すと、「３」の点灯モードが選択され、光源部３１の赤色の発光ダイオード３１ａだけが点灯し、赤色の光が生成される。この点灯モードでは、赤色の発光ダイオード３１ａだけが点灯する状態が維持される。
【００６７】
点灯モード切替スイッチ４２を４回押すと、「４」の点灯モードが選択され、一定の時間間隔で光源部３１の赤色の発光ダイオード３１ａだけが一定時間点灯する。したがって、この点灯モードでは、赤色の光が断続的に出射される。
【００６８】
点灯モード切替スイッチ４２を５回押すと、「５」の点灯モードが選択され、光源部３１の緑色の発光ダイオード３１ｂだけが点灯し、緑色の光が生成される。この点灯モードでは、緑色の発光ダイオード３１ｂだけが点灯する状態が維持される。
【００６９】
点灯モード切替スイッチ４２を６回押すと、「６」の点灯モードが選択され、一定の時間間隔で光源部３１の緑色の発光ダイオード３１ｂだけが一定時間点灯する。したがって、この点灯モードでは、緑色の光が断続的に出射される。
【００７０】
点灯モード切替スイッチ４２を７回押すと、「７」の点灯モードが選択され、光源部３１の青色の発光ダイオード３１ｃだけが点灯し、青色の光が生成される。この点灯モードでは、青色の発光ダイオード３１ｃだけが点灯する状態が維持される。
【００７１】
点灯モード切替スイッチを８回押すと、「８」の点灯モードが選択され、一定の時間間隔で光源部３１の青色の発光ダイオード３１ｃだけが一定時間点灯する。したがって、この点灯モードでは、青色の光が断続的に出射される。
【００７２】
点灯モード切替スイッチ４２を９回押すと、「９」の点灯モードが選択され、光源部３１の赤色、緑色、青色の発光ダイオード３１ａ，３１ｂ，３１ｃのいずれもが消灯し、その点灯状態が維持される。
【００７３】
点灯モード切替スイッチ４２を１０回押すと、「１」の点灯モードへ戻る。
【００７４】
この実施形態の発光釣具３によれば、光源部３１の光を光ファイバ３５を介して釣針８の近傍へ供給することによって、釣針８の周囲に届く光量を増やすようにしたので、電力消費量を増加させずに魚の誘引効果を高めることができる。
【００７５】
また、点灯モード切替スイッチ４２を操作して、魚の種類や環境の変化等に応じて釣針８の近傍へ供給する光の色や発光の態様を適宜変えることができるので、魚の誘引効果を一層高めることができる。
【００７６】
図６は上述の第１の実施形態に係る発光釣具のキャップの変形例を示す断面図である。
【００７７】
第１の実施形態ではキャップ１２内にバランサ１１が収容されているが、この変形例ではキャップ１２内にバランサが収容されていない。
【００７８】
図７は上述の第１の実施形態に係る発光釣具のハウジング３４の変形例を示す断面図である。ハウジング２３４に収容される電池３２ａ等の収容物や光ファイバ３５、ゴムチューブ２３などについては図示省略した。
【００７９】
第１の実施形態では、ハウジング本体１７とキャップ１２とにそれぞれ釣糸掛け１０ｂ，１０ａと糸掛け棒２１，２４とが形成されているが、図７の変形例では、ハウジング本体２１７とキャップ２１２とにそれぞれ糸掛け棒２１，２４だけが形成されている。
【００８０】
この変形例では、釣糸２を糸掛け棒用のゴム環２０，２５に通し、釣針８に対するハウジング２３４（発光釣具）の位置を決めた後、糸掛け棒２１をゴム環２０に、糸掛け棒２４をゴム環２５にそれぞれ通す。
【００８１】
図８はこの発明の第２実施形態に係る発光釣具の使用状態を示す概念図である。図中、発光釣具３０３については縦断面が描かれている。第１実施形態に共通する部分については同一符号を付してその説明を省略する。
【００８２】
ハウジング３３４の全体の形状はほぼ卵形である。ハウジング３３４はハウジング本体３１７とハウジング本体３１７の開口部に嵌合可能なキャップ３１２とを有する。
【００８３】
ハウジング本体３１７の下端とキャップ３１２の上端にはそれぞれ釣糸掛け３１０ａ，３１０ｂが形成されている。
【００８４】
ハウジング本体３１７内の下部には錘収容室４１が形成され、そこに錘３９が収容されている。錘収容室４１の上には電池支持金具３０で支持された電池３２ａが配置され、電池３２ａの上には回路基板２７（第１実施形態の回路基板３６，４０に相当する。）が配置されている。回路基板２７には、ＭＰＵ３３ａ、光源部の赤色、緑色、青色の発光ダイオード３１ａ，３１ｂ，３１ｃ及び点灯モード切替スイッチ４２が実装されている。光源部３１はゴム製又はプラスチック製のキャップ４４で覆われている。キャップ４４の先端部には光源部３１の出射部へ光ファイバ３５の始端部を導くガイド孔４４ａが形成されている。
【００８５】
光ファイバ３５の終端部はハウジング本体３１７の下部に形成された孔（図示せず）を通じてハウジング３３４の内部空間から外部へ出ている。
【００８６】
ハウジング本体３１７の外周面には孔３１７ａが形成され、孔３１７ａには孔３１７ａを閉塞するように弾性変形可能なシート１８が装着されている。シート１８は点灯モード切替スイッチ４２の切替ボタンに対向し、かつ隣接している。
【００８７】
図９はジョイント部材の断面を示す断面図である。
【００８８】
ジョイント部材３０７は、弾性材料でほぼ円盤状に形成された光ファイバ保持部３０７ａ１と、弾性材料でほぼ円盤状に形成された釣糸保持部３０７ａ２と、弾性材料でほぼ直線状に形成され、両保持部３０７ａ１，３０７ａ２を連結する連結部３０７ｃとで構成される。
【００８９】
光ファイバ保持部３０７ａ１、釣糸保持部３０７ａ２にはそれぞれ１つの係止溝３０７ｂ１，３０７ｂ２が形成されている。いずれの係止溝３０７ｂ１，３０７ｂ２も半径方向へ延びる。係止溝３０７ｂ１の途中は狭くなっているが、その部分の幅は光ファイバ３５の外径よりも小さいので、係止溝３０７ｂ１の奥に位置する光ファイバ３５は係止溝３０７ｂ１から容易に離脱しない。また、係止溝３０７ｂ２の途中も狭くなっているが、その部分の幅は釣糸３０２ｂの外径よりも小さいので、係止溝３０７ｂ２の奥に位置する釣糸３０２ｂは係止溝３０７ｂ２から容易に離脱しない。
【００９０】
この実施形態では、釣竿１に結ばれた釣糸３０２ａを釣糸掛け３１０ａに結ぶとともに、釣針８に結ばれた別の釣糸３０２ｂを釣糸掛け３１０ｂに結ぶ。
【００９１】
釣針８に対する光ファイバ３５の終端部の位置を決めた後、ジョイント部材３０７で光ファイバ３５を釣糸３０２ｂに連結する。
【００９２】
光源部３１の点灯動作、発光釣具３０３の効果は第１の実施形態と同様であり、その説明を省略する。
【図面の簡単な説明】
【００９３】
【図１】図１はこの発明の第１実施形態に係る発光釣具の使用状態を示す概念図である。
【図２】図２はジョイント部材の横断面を示す断面図である。
【図３】図３は図１の発光釣具の拡大縦断面図である。
【図４】図４は発光釣具の点灯回路図である。
【図５】図５は光源部３１の点灯状態遷移図である。
【図６】図６は上述の第１の実施形態に係る発光釣具のキャップの変形例を示す断面図である。
【図７】図７は上述の第１の実施形態に係る発光釣具のハウジングの変形例を示す断面図である。
【図８】図８はこの発明の第２実施形態に係る発光釣具の使用状態を示す概念図である。
【図９】図９はジョイント部材の断面を示す断面図である。
【符号の説明】
【００９４】
２，３０２ａ，３０２ｂ  釣糸
３，３０３  発光釣具
７，３０７  ジョイント部材
８  釣針
１２，１１２，２１２，３１２キャップ
１７，２１７，３１７  ハウジング本体
２７，３６，４０  回路基板
３１  光源部
３１ａ，３１ｂ，３１ｃ  発光ダイオード
３２  電源部
３２ａ  電池
３３ａ  ＭＰＵ
３４，２１４，３１４  ハウジング
３５  光ファイバ
【図１】
2008271922.tif 000003
【図２】
2008271922.tif 000004
【図３】
2008271922.tif 000005
【図４】
2008271922.tif 000006
【図５】
2008271922.tif 000007
【図６】
2008271922.tif 000008
【図７】
2008271922.tif 000009
【図８】
2008271922.tif 000010
【図９】
2008271922.tif 000011